(57)【要約】【課題】眼科検査装置のコンパクト化を図ることができる。【解決手段】視標板１１には複数の視標Ａ１，…が配置されている。それらの視標Ａ１，…は、１つの渦巻き状の仮想線１１ａに沿うように配列されているので、視標Ａ１，…は、視標板１１の外側から内側に掛けてほぼ全面に配置されることとなる。その結果、視標板１１に配置される視標Ａ１，…の数は、１つの円に沿って視標を複数配列する場合に比べて多くすることができる。これにより、視標板１１を大型にする必要がなく、検査装置のコンパクト化を図ることができる。【選択図】図１
2007143960.tif 000002
【特許請求の範囲】
【請求項１】
複数の視標が形成された視標板、を備えた眼科検査装置において、
前記複数の視標は、１つの渦巻き状の仮想線に沿うように配置された、
ことを特徴とする眼科検査装置。
【請求項２】
前記渦巻き状の仮想線が収束する、渦巻きの中心の点を“視標板中心点”とし、
前記複数の視標を、前記視標板中心点から最も離れた側から“１番目の視標”“２番目の視標”“３番目の視標”…とし、
前記１番目の視標の中心と前記視標板中心点との間の距離をｒ１とし、
前記２番目の視標の中心と前記視標板中心点との間の距離をｒ２とし、
……………………………………………………………………………、
……………………………………………………………………………、
前記ｉ番目の視標の中心と前記視標板中心点との間の距離をｒｉとした場合において、下式が成立する、
ことを特徴とする請求項１に記載の眼科検査装置。
【数１】
2007143960.tif 000012
【請求項３】
前記視標板を前記視標板中心点の周りに回転させる回転駆動手段と、
該回転駆動手段の回転運動を、前記視標板の一の方向への直線運動に変換する運動変換装置と、
前記視標板に対向するように配置されると共に、一の視標のみが視認されるように穿設された開口部を有するカバー部材と、を備え、
前記回転駆動手段を駆動することに基づき、前記視標板が前記視標板中心点の周りに回転されると共に前記一の方向へ移動されて、前記複数の視標が前記開口部から順次視認される、
ことを特徴とする請求項１又は２に記載の眼科検査装置。
【請求項４】
前記ｉ番目の視標の中心と前記視標板中心点とを結ぶ線、及び前記ｉ＋１番目の視標の中心と前記視標板中心点とを結ぶ線とが為す角をθｉとし，前記ｉ番目の視標の中心と前記視標板中心点との間の距離をｒｉとし、前記ｉ＋１番目の視標の中心と前記視標板中心点との間の距離をｒｉ＋１とした場合に（但し、ｉ＝１，２，３，…）、
前記回転駆動手段による前記視標板の回転角度がθｉの場合、前記視標板の前記一の方向への移動量は（ｒｉ−ｒｉ＋１）である、
ことを特徴とする請求項３に記載の眼科検査装置。
【請求項５】
前記視標はランドルト環であり、
前記開口部は円形であり、
互いに隣接するように配置される２つの視標の外径をｄｉ，ｄｉ＋１とし、それら２つの視標の離間距離をｐとし、前記開口部の内径をＤとした場合に、次式が成立する、
ことを特徴とする請求項３又は４に記載の眼科検査装置。
【数２】
2007143960.tif 000013
【発明の詳細な説明】
【技術分野】
【０００１】
本発明は、複数の視標を視標板に配置してなる眼科検査装置に係り、詳しくは、それらの複数の視標が１つの渦巻き状の仮想線に沿うように配置された眼科検査装置に関する。
【背景技術】
【０００２】
従来、視力計や視野計等の眼科検査装置においては、視標板に複数の視標を配置すると共に、該視標板を移動させたり光路を切り換えたりし、被検者に呈示する視標を順次切り換えながら検査を行っていた（例えば、特許文献１及び２参照）。
【０００３】
図８は、従来の視標板における視標の配列の一例（上記特許文献１に記載された例であり、以下“第１従来例”とする）を示す模式図であって、円形の視標板１００には、１つの円１０１に沿うように複数の視標１０２（正確には、符号１０２は、視標自体を示すものではなく、複数の視標を有する領域“視標チャート”を示す）が配置されていた。そして、該視標板１００を不図示の回転駆動装置によって回転することにより、視標１０２の切り換えが行われていた。
【０００４】
また、図９は、従来の視標板における視標の配列の他の例（上記特許文献２に記載されている例であり、以下“第２従来例”とする）を示す模式図であって、円形の視標板２００には、２つの同心円２０１，２０２に沿うように複数の視標２０３が配置されていた。そして、視標２０３の切り換えは、不図示のミラーユニットを回転させて大きい同心円上、又は小さい同心円上に光路を切り換えると共に、不図示の回転駆動装置によって視標板２００を回転させることにより行われていた。
【特許文献１】実開平０４−５０００４号公報
【特許文献２】特開平１０−２７６９８１号公報
【発明の開示】
【発明が解決しようとする課題】
【０００５】
ところで、視力計や視野計等の眼科検査装置は、コンパクトでありながらも、多くの種類の視標を呈示できることが好ましいが、上記第１従来例のものは、多くの視標を呈示できるようにするには、
(1)  視標板１００を大型にして、１つの円１０１に沿って配置できる視標１０２の数を増やす方法と、
(2)  視標板１００を大型にする代わりに、小型の視標板を何枚も用意しておいて、必要に応じて視標板を差し替えることができるようにしておく方法
とがある。しかし、上記(1) の方法では検査装置自体が大型化してしまうという問題があり、上記(2) の方法では、視標切り換えのために視標板を差し替えなければならない場合もあって、視標切り換え作業が煩雑化してしまうという問題があった。
【０００６】
これに対し、第２従来例のものは、１枚の視標板２００において、何本もの同心円２０１，２０２に沿うように視標２０３を配置できるので、装置のコンパクト化を犠牲にしないで多くの種類の視標を呈示でき、しかも、視標板の差し替えの必要も無いという特徴を有している。しかしながら、該第２従来例のものでは、視標を切り換えるためには、視標板２００を回転させるための回転駆動装置と、光路が各同心円を選択的に通るようにする手段（上述の例の場合は、ミラーユニット、及び該ミラーユニットを回転させるための別の回転駆動装置が必要であるが、光路を移動させるのではなくて視標板を移動させるようにしても良い）とが必要となり、装置の構造が複雑化してしまうという問題があった。また、それらの駆動装置の制御が複雑になるという問題もあった。
【０００７】
本発明は、コンパクトで、視標切り換え作業が簡単で、構造及び制御が簡単な眼科検査装置を提供することを目的とするものである。
【課題を解決するための手段】
【０００８】
請求項１に係る発明は、図１に例示するような複数の視標（Ａ１，…）が形成された視標板（１１）、を備えた眼科検査装置において、
前記複数の視標（Ａ１，…）は、１つの渦巻き状の仮想線（１１ａ）に沿うように配置された、ことを特徴とする。
【０００９】
請求項２に係る発明は、請求項１に係る発明において、前記渦巻き状の仮想線（１１ａ）が収束する、渦巻きの中心の点を“視標板中心点（符号１１ｂ参照）”とし、
前記複数の視標（Ａ１，…）を、前記視標板中心点（１１ｂ）から最も離れた側から順に“１番目の視標（符号Ａ１参照）”“２番目の視標（符号Ａ２参照）”“３番目の視標（符号Ａ３参照）”…とし、
前記１番目の視標（Ａ１）の中心と前記視標板中心点（１１ｂ）との間の距離をｒ１とし、
前記２番目の視標（Ａ２）の中心と前記視標板中心点（１１ｂ）との間の距離をｒ２とし、
……………………………………………………………………………、
……………………………………………………………………………、
前記ｉ番目の視標（Ａｉ）の中心と前記視標板中心点（１１ｂ）との間の距離をｒｉとした場合において、下式が成立することを特徴とする。
【数３】
2007143960.tif 000003
【００１０】
請求項３に係る発明は、請求項１又は２に係る発明において、前記視標板（１１）を前記視標板中心点（１１ｂ）の周りに回転させる回転駆動手段（図２(a)(b)(c)及び図３の符号２０参照）と、
該回転駆動手段（２０）の回転運動を、前記視標板（１１）の一の方向（ｚ）への直線運動に変換する運動変換装置（図２(a)の符号２９、及び図３の符号３９参照）と、
前記視標板（１１）に対向するように配置されると共に、一の視標（図１においてはＡ１）のみが視認されるように穿設された開口部（１０ａ）を有するカバー部材（１０）と、を備え、
前記回転駆動手段（２０）を駆動することに基づき、前記視標板（１１）が前記視標板中心点（１１ｂ）の周りに回転されると共に前記一の方向（ｚ）へ移動されて、前記複数の視標（Ａ１，…）が前記開口部（１０ａ）から順次視認されることを特徴とする。
【００１１】
請求項４に係る発明は、請求項３に係る発明において、前記ｉ番目の視標（Ａｉ）の中心と前記視標板中心点（１１ｂ）とを結ぶ線、及び前記ｉ＋１番目の視標（Ａｉ＋１）の中心と前記視標板中心点（１１ｂ）とを結ぶ線とが為す角をθｉとし，前記ｉ番目の視標（Ａｉ）の中心と前記視標板中心点（１１ｂ）との間の距離をｒｉとし、前記ｉ＋１番目の視標（Ａｉ＋１）の中心と前記視標板中心点（１１ｂ）との間の距離をｒｉ＋１とした場合に（但し、ｉ＝１，２，３，…）、
前記回転駆動手段（２０）による前記視標板（１１）の回転角度がθｉの場合、前記視標板（１１）の前記一の方向（ｚ）への移動量は（ｒｉ−ｒｉ＋１）である、ことを特徴とする。
【００１２】
請求項５に係る発明は、図４に示すように、請求項３又は４に係る発明において、前記視標（Ａ１，…）はランドルト環であり、
前記開口部（１０ａ）は円形であり、
互いに隣接するように配置される２つの視標（Ａｉ，Ａｉ＋１）の外径をｄｉ，ｄｉ＋１とし、それら２つの視標（Ａｉ，Ａｉ＋１）の離間距離をｐとし、前記開口部（１０ａ）の内径をＤとした場合に、次式が成立する、ことを特徴とする。
【数４】
2007143960.tif 000004
【００１３】
なお、括弧内の番号などは、図面における対応する要素を示す便宜的なものであり、従って、本記述は図面上の記載に限定拘束されるものではない。
【発明の効果】
【００１４】
請求項１及び２に係る発明によれば、複数の視標は、１つの渦巻き状の仮想線に沿うように配置されているので、上述した第１従来例のように１つの円に沿うように視標を配置する場合に比べて、視標板中の視標配置密度を高めることができる。したがって、発明が解決しようとする課題にて述べたように、視標板を大型にしたり、視標板を複数枚用意しておいて差し替えるようにしたりする必要がなく、装置のコンパクト化、及び視標切り換え作業の簡易化を図ることができる。
【００１５】
請求項３及び５に係る発明によれば、回転駆動手段は１つだけで足り、複数設ける必要が無いので、装置の構造の複雑化を回避することができる。また、視標板の回転量と直線運動量との関係は、前記運動変換装置により一義的に規定されるので、前記回転駆動手段の駆動制御さえ正確に行えば、直線運動量は正確に規定される。したがって、駆動制御の複雑化を防止することができる。
【００１６】
請求項４に係る発明によれば、開口部には１つの視標のみが配置されることとなるので、被検者に該開口部内の視標を視認させて検査を正確に行うことができる。
【発明を実施するための最良の形態】
【００１７】
以下、図１及び図２(a)等に沿って、本発明を実施するための最良の形態について説明する。ここで、図１は、本発明に用いられる視標板の構造の一例を示す正面図であり、図２(a)は、視標板の駆動装置の構造の一例を示す断面図である。
【００１８】
本発明に係る眼科検査装置は、図１に例示するように、複数の視標Ａ１，…が形成された視標板１１を備えている。そして、該視標板１１においては、前記複数の視標Ａ１，…は、１つの渦巻き状の仮想線１１ａに沿うように配置されている。本発明によれば、複数の視標Ａ１，…は、１つの渦巻き状の仮想線１１ａに沿うように配置されているので、上述した第１従来例のように１つの円（図８の符号１０１参照）に沿うように視標を配置する場合に比べて、視標板中の視標配置密度を高めることができる。したがって、［発明が解決しようとする課題］にて述べたように、視標板を大型にしたり、視標板を複数枚用意しておいて差し替えるようにしたりする必要がなく、装置のコンパクト化、及び視標切り換え作業の簡易化を図ることができる。また、複数の視標Ａ１，…は、１つの渦巻き状の仮想線１１ａに沿うように配置されているので、被検者により視認される領域（例えば、符号１０ａに示す領域）を該仮想線１１ａが通るように前記視標板１１を駆動することにより、１つの駆動手段だけで視標の切り換えを行うことができる。つまり、上述した第２従来例のように、駆動手段を複数設ける必要がなく、装置の構造の複雑化や、制御の複雑化を回避することができる。
【００１９】
具体的には、前記複数の視標Ａ１，…を、渦巻きの最も外側から“１番目の視標（Ａ１参照）”“２番目の視標（Ａ２参照）”“３番目の視標（Ａ３参照）”…とし、
前記渦巻き状の仮想線１１ａが収束する、渦巻きの中心の点を“視標板中心点（１１ｂ参照）”とし、
前記１番目の視標Ａ１の中心と前記視標板中心点１１ｂとの間の距離をｒ１とし、
前記２番目の視標Ａ２の中心と前記視標板中心点１１ｂとの間の距離をｒ２とし、
……………………………………………………………………………、
……………………………………………………………………………、
前記ｉ番目の視標Ａｉの中心と前記視標板中心点１１ｂとの間の距離をｒｉとした場合において、下式が成立するようにすると良い。
【数５】
2007143960.tif 000005
【００２０】
ところで、
・  前記視標板１１を前記視標板中心点１１ｂの周りに回転させる回転駆動手段（図２(a)(b)(c)及び図３の符号２０参照）と、
・  該回転駆動手段２０の回転運動を、前記視標板１１の一の方向ｚ（具体的には、視標板１１の面に沿った一の方向）への直線運動に変換する運動変換装置（図２(a)の符号２９、及び図３の符号３９参照）と、
・  前記視標板１１に対向するように配置されると共に、一の視標のみが視認されるように穿設された開口部１０ａを有するカバー部材１０と、
を備え、
前記回転駆動手段２０を駆動することに基づき、前記視標板１１が前記視標板中心点１１ｂの周りに回転されると共に前記一の方向ｚへ移動されて、前記複数の視標Ａ１，…が前記開口部１０ａから順次視認される、ようにすると良い。
【００２１】
ここで、前記視標Ａ１，…をランドルト環とし、前記開口部１０ａを円形にすると良い。そして、図４に示すように、互いに隣接するように配置される２つの視標Ａｉ，Ａｉ＋１の外径をｄｉ，ｄｉ＋１とし、それら２つの視標Ａｉ，Ａｉ＋１の離間距離をｐとし、前記開口部１０ａの内径をＤとした場合に、次式が成立する、ようにすると良い。
【数６】
2007143960.tif 000006
【００２２】
いま、図１に示すように、１番目の視標Ａ１の中心と前記視標板中心点１１ｂとを結ぶ線、及び２番目の視標Ａ２の中心と前記視標板中心点１１ｂとを結ぶ線とが為す角をθ１とし、２番目の視標Ａ２の中心と前記視標板中心点１１ｂとを結ぶ線、及び３番目の視標Ａ３の中心と前記視標板中心点１１ｂとを結ぶ線とが為す角をθ２とし、……………、ｉ番目の視標Ａｉの中心と前記視標板中心点１１ｂとを結ぶ線、及びｉ＋１番目の視標Ａｉ＋１の中心と前記視標板中心点１１ｂとを結ぶ線とが為す角をθｉとする。そして、前記ｉ番目の視標Ａｉの中心と前記視標板中心点１１ｂとの間の距離をｒｉとし、前記ｉ＋１番目の視標Ａｉ＋１の中心と前記視標板中心点１１ｂとの間の距離をｒｉ＋１とする（但し、ｉ＝１，２，３，…）。この場合において、前記回転駆動手段２０を角度θｉだけ回転させた場合に、前記視標板１１は該角度θｉだけ回転されると共に、前記一の方向ｚに（ｒｉ−ｒｉ＋１）だけ移動される、ようにすると良い。
【実施例１】
【００２３】
本実施例においては、図１，２，４，５及び６に示す構造の視力計（眼科検査装置）を作製した。なお、図４は、視標の配置位置の一例を説明するための模式図であり、図５(a)は、本発明に係る眼科検査装置の外観の一例を示す正面図であり、同図(b)は側面図である。また、図６は、本発明に係る眼科検査装置の構造の一例を示すブロック図である。
【００２４】
図５(a)の符号４０Ｌ，４０Ｒは、被検者が眼を当てるための接眼部を示し、符号４１は、左眼用接眼部４０Ｌと右眼用接眼部４０Ｒとの間の距離を調整するための調整ノブを示す。
【００２５】
図６の符号１Ｌは、被検者の左眼の位置を模式的に示したもので、符号１Ｒは、被検者の右眼の位置を模式的に示したものである。また、符号２Ｌは、接眼部の左眼用保護ガラスを示し、符号２Ｒは、接眼部の右眼用保護ガラスを示す。さらに、符号３Ｌ，３Ｒは、光路を開閉するために移動自在に構成されたアイリスを示し、符号４は、該アイリス３Ｌ，３Ｒの一方又は両方を選択的に駆動するためのアクチュエータを示す。
【００２６】
一方、符号１１は、視標が形成されている透明なチャート板（視標板）を示し、符号１２は、該視標を背後から照明するためのランプを示す。また、符号９は、該ランプ１２により照射された視標の像を反射するためのプリズムを示し、符号７，８は、光路上に配置されたレンズを示す。さらに、符号６はハーフミラーを示し、符号５はミラーを示す。
【００２７】
ところで、上述したチャート板１１は、図２(a)(c)に示すように、ステッピングモータ（回転駆動手段）２０から水平に突出されている回転軸の一端２０Ａに支持されていて、ステッピングモータ２０の駆動により回転されるように構成されている。また、このステッピングモータ２０の回転軸の他端２０Ｂには第１かさ歯車２７が取り付けられている。このステッピングモータ２０に近接する位置には、上下にスライドシャフト２１が延設されており、該スライドシャフト２１には第１ブロック２２Ａが摺動自在に支持されている。この第１ブロック２２Ａには第２ブロック２２Ｂが固設されていて、前記ステッピングモータ２０は該第２ブロック２２Ｂに取り付けられている。また、前記第１ブロック２２Ａには、上下に貫通孔（図２(b)の符号２２ａ参照）が穿設された第３ブロック２２Ｃが固設されており、これらのブロック２２Ａ，２２Ｂ，２２Ｃはモータ２０と共に一体的に移動する移動ベース２２を構成している。その貫通孔２２ａには、ベアリング２４を介して第２かさ歯車２８が回転自在に配置されており、該第２かさ歯車２８は前記第１かさ歯車２７に噛合されている。そして、この第２かさ歯車２８を上下に貫通するようにボールネジ２５が配置されており、このボールネジ２５は回転しないように、装置に固定されている。第２かさ歯車２８にはキー部材２６が埋設されており、該キー部材２６の一端が前記ボールネジ２５の溝に嵌め込まれている。いま、ステッピングモータ２０を駆動してチャート板１１を所定角度だけ回転させると、第１かさ歯車２７及び第２かさ歯車２８も所定角度だけ回転されることなる。この際、キー部材２６は、第２かさ歯車２８と共に所定角度だけ回転されることに伴い、ボールネジ２５の溝中を移動し、これにより、移動ベース２２及びステッピングモータ２０を介してチャート板１１が所定量だけ上方に移動されることとなる（詳細は後述する）。なお、本実施例においては、上述したかさ歯車２７，２８やキー部材２６やボールネジ２５等によって運動変換装置２９が構成されている。
【００２８】
一方、符号１０は、円形孔（開口部）１０ａを有する穴あきカバー（カバー部材）を示しており、該円形孔１０ａの部分が、被検者が接眼部４０Ｌ，４０Ｒから視認できるエリアとなる（この１０ａの領域を適宜“視認エリア”と称することとする）。この円形孔１０ａに対応する部分であって、チャート板１１の裏側には上述したランプ１２が配置されていて、チャート板１１に形成された視標（次に詳述する）を背後から照明することとなる。
【００２９】
ところで、このチャート板１１に形成されている視標は、図１に符号Ａ１，…で示すように、１つの渦巻き状の仮想線１１ａに沿って複数配列されている。渦巻きの最も外側の視標（符号Ａ１で示す指標）を“１番目の視標”と称し、次の視標Ａ２を“２番目の視標”というように称することとすると、本実施例においては、１〜４番目の視標Ａ１，…Ａ４は同じ大きさであって、視認エリア１０ａにおいて切り欠きの位置が９０度ずれるようになっている。つまり、最も外側の視標Ａ１は、視認エリア１０ａにおいては切り欠き位置が右となり、２番目の視標Ａ２は、視認エリア１０ａにおいては切り欠き位置は上となり、３番目の視標Ａ３は、視認エリア１０ａにおいては切り欠き位置は左となり、４番目の視標Ａ４は、視認エリア１０ａにおいては切り欠き位置は下となる。５番目から８番目までの４つの視標Ａ５，…Ａ８は、等しいサイズであって、１番目から４番目までの視標Ａ１，…Ａ４に比べて小さいサイズとし、視認エリア１０ａにおいて切り欠きの位置が９０度ずれるようになっている。つまり、５番目の視標Ａ５は、視認エリア１０ａにおいては切り欠き位置が右となり、６番目の視標Ａ６は、視認エリア１０ａにおいては切り欠き位置は上となり、７番目の視標Ａ７は、視認エリア１０ａにおいては切り欠き位置は左となり、８番目の視標Ａ８は、視認エリア１０ａにおいては切り欠き位置は下となる。このようにして、４つの視標を同じサイズとし、徐々に小さくして行った。
【００３０】
ところで、検査を行う際、上述した視認エリア１０ａに入っている視標は１つだけである必要があり、隣の視標が少しでも該視認エリア１０ａに入るべきではない。そのため、互いに隣接される視標Ａｉ，Ａｉ＋１の離間距離（図４の符号ｐ参照）は所定距離以下にすべきではない。以下、この離間距離ｐについて説明する。
【００３１】
いま、図４に示すように、半径がｄｉ＋１／２の視標Ａｉ＋１が視認エリア１０ａに入っており、隣接される視標Ａｉの半径をｄｉ／２とし、視認エリア１０ａの半径をＤ／２とすると、それら２つの視標Ａｉ，Ａｉ＋１の離間距離ｐは次式を満足する必要がある。
【数７】
2007143960.tif 000007
【００３２】
上式におけるｍａｘ（ｄｉ，ｄｉ＋１）は、ｄｉ，ｄｉ＋１のうちの大きい方という意味であり、図示の場合はｄｉ＞ｄｉ＋１なので、ｍａｘ（ｄｉ，ｄｉ＋１）≡ｄｉとなる。また、上式中のＫは、図示の部分の寸法（つまり、視認エリア１０ａと、穴あきカバー１０に隠れている視標Ａｉとの間の最小距離）であって、斜めから覗いたとしても該視標Ａｉが視認されることのない距離（以下、“安全距離”と称する）を意味する。つまり、このような安全距離Ｋを見込まずに下式８のような関係だけを満足させようとした場合、下式９の状態も含まれることとなり、この状態では、穴あきカバー１０とチャート板１１との隙間が大きいとその隙間から上記視標Ａｉ（つまり、本来、穴あきカバー１０によって隠されていなければならないハズの視標Ａｉ）が見えてしまって、被検者を惑わし、測定結果が不適切になるおそれがある。そこで、本実施例においては、上式７の関係を満足するようにした。
【数８】
2007143960.tif 000008
【数９】
2007143960.tif 000009
【００３３】
ところで、いま、各視標Ａ１，…の中心とチャート板１１の中心（渦巻きの中心の点であって、以下、“チャート板中心点”とする）１１ｂとの間の距離を図示のようにｒ１，ｒ２，ｒ３，…とする。つまり、ｒ１，ｒ２，ｒ３，…を次のように定義する。
ｒ１；視標Ａ１の中心とチャート板中心点１１ｂとの間の距離
ｒ２；視標Ａ２の中心とチャート板中心点１１ｂとの間の距離
ｒ３；視標Ａ３の中心とチャート板中心点１１ｂとの間の距離
ｒ４；視標Ａ４の中心とチャート板中心点１１ｂとの間の距離
ｒ５；視標Ａ５の中心とチャート板中心点１１ｂとの間の距離
ｒ６；視標Ａ６の中心とチャート板中心点１１ｂとの間の距離
ｒ７；視標Ａ７の中心とチャート板中心点１１ｂとの間の距離
ｒ８；視標Ａ８の中心とチャート板中心点１１ｂとの間の距離
ｒ９；視標Ａ９の中心とチャート板中心点１１ｂとの間の距離
…………………。
【００３４】
また、一の視標Ａｉの中心とチャート板中心点１１ｂとを結ぶ線、及び、該一の視標Ａｉに隣接される他の視標Ａｉ＋１の中心とチャート板中心点１１ｂとを結ぶ線の、２つの線が為す角度（以下、“中心角”とする）をθｉ（但し、ｉ＝１，２，３，…とする）とし、本実施例においては、θ１＝θ２＝θ３＝θ４＝２４°とし、θ５＝θ６＝……＝２２°とした。
【００３５】
そして、図１に示す状態からステッピングモータ２０を駆動し、チャート板１１を図示Ｅの方向にθ１だけ回転させると、上述した運動変換装置２９によって該チャート板１１がｚ方向にｒ１−ｒ２だけ移動され、視認エリア１０ａに２番目の視標Ａ２が配置されるようにした。同様に、チャート板１１を図示Ｅ方向にθ２だけ回転させると、該チャート板１１はｚ方向にｒ２−ｒ３だけ移動され、視認エリア１０ａに３番目の視標Ａ３が配置されるようにした。そのようにして、順次、視標Ａ１，…が視認エリア１０ａに配置されるようにした。
【００３６】
なお、視標Ａ１，…を渦巻き状に配列する場合、上述のように、
【数１０】
2007143960.tif 000010
となる。つまり、視標Ａ１，…は徐々にチャート板中心に近づいて来るので、一定角度だけ回転させるだけでは、円周方向の移動距離は徐々に小さくなってしまい、
【数１１】
2007143960.tif 000011
を満足できず、視認エリア１０ａに複数の視標が入ってしまうおそれがある。かかる問題を回避する方法としては、
(1)  上式を満足するように視標の直径ｄｉ及びｄｉ＋１を小さくする方法
(2)  上式を満足するように、チャート板１１の回転角度を増加させる方法（例えば、中心角θを、２２°→２４°→２８°→……と、徐々に増加させてやって、視標の円周方向の移動距離を所定以上にする方法）
が考えられる。一方、ボールネジ２５のピッチは一定としても、徐々に変化するようにしてもどちらでも良い。
【００３７】
なお、本実施例においては、チャート板１１の駆動は図２に示す装置にて行ったが、図３に示す装置にて行うようにしても良い。なお、図３中の符号３１は移動ベースを示し、符号３２は、回転軸の他端２０Ｂに取り付けられたギヤを示し、符号３３は、移動ベース３１の側に回転自在に支持されたギヤを示し、符号３４，３５はベアリングを示す。また、符号３６はラックギヤを示し、符号３７は、前記ギヤ３３と一体的に回転すると共にラックギヤ３６に噛合されたギヤを示す。ギヤ３２，３３やラックギヤ３６によって運動変換装置３９が構成されている。
【００３８】
ところで、図５(b)の符号５０ａ，５０ｂ，５０ｃは選択眼スイッチを示す。これらのスイッチ５０ａ，５０ｂ，５０ｃは、図６に示すように、インターフェース５１を介してＣＰＵ５２に接続されており、アクチュエータ４を駆動するものである。具体的には、選択眼スイッチ５０ａを操作すると、左眼用のアイリス３Ｌのみが光路から除去されて、左眼１Ｌの視力の検査が可能となる。また、選択眼スイッチ５０ｂを操作すると、右眼用のアイリス３Ｒのみが光路から除去されて、右眼１Ｒの視力の検査が可能となる。さらに、選択眼スイッチ５０ｃを操作すると、両方のアイリス３Ｌ，３Ｒが光路から除去されて、両眼１Ｌ，１Ｒの視力の検査が可能となる。
【００３９】
オートモード選択スイッチ５４を操作すると、その信号がインターフェース５１を介してＣＰＵ５２に入力され、ＣＰＵ５２は視力の測定をメモリ５５に格納されたプログラムに従って自動的に開始する。
【００４０】
ＣＰＵ５２は、クロック５６により駆動され、メモリ５５には上記したプログラムのほかに視力検査に必要なプログラム、データなどが格納されている。視力検査の結果は表示器５７に表示され、またプリンタ５８に出力される。自動的に視力検査を行なうときには、被検者をガイダンスする音声が音声発生部５９を介して出力される。
【００４１】
また、図５(a)の符号４２及び４２ａは、被検者が視標の切り欠き方向を解答するためのジョイスティックスイッチを示し、符号４３は、視力計に対して被検者が種々の応答をするための応答スイッチを示し、符号４４は電源スイッチを示す。
【実施例２】
【００４２】
本発明は夜間視力計に適用しても良い。夜間視力計としては、特開２００４−６５５８２号公報にて本願出願人が開示したものを一例として挙げることができる。図７(a)(b)は、本発明に係る眼科検査装置の一例として夜間視力計の構造を示すブロック図である。図中の符号１１は、静止視力測定用視標や夜間視力測定用視標を図４のように螺旋状に配置した視標板を示し、符号３０９は視標照明光源を示し、符号３１０ａは、視標周辺を照明するための照明光源を示し、符号３１１は、被検眼３０４ａ，３０４ｂのための明順応用光源を示し、符号３１３は反射ドームを示し、符号３１３ａ，３１３ｂは窓を示し、符号３１４は合焦レンズを示し、符号３１５ａ，３１５ｂはシャッタを示し、符号３４０はそのアクチュエータを示し、符号３１７は視標板回転用モータを示し、符号３４７は受光素子を示し、符号３０３ａ，３０３ｂは接眼部を示す。また、符号３３０はＣＰＵ（中央処理演算装置）を示し、符号３３１は表示器を示し、符号３３２はメモリを示し、符号３３３はクロックを示し、符号３４２は瞬き防止用のランプを示し、符号３３４はインターフェースを示し、符号３３５は（静止）視力スイッチを示し、符号３３８は夜間視力スイッチを示し、符号３３９は輝度調整を示し、符号３０８は応答スイッチを示す。
【００４３】
なお、上述した実施例１，２、及び図６，７は、本発明が適用される眼科検査装置の構造のほんの一例を示すものに過ぎないものであって、本発明がそれらの構成に限定されるものではない。当然のことながら、本発明は、動体視力計だけでなく、通常の視力計や、夜間視力計など、視標を呈示する形式の眼科検査装置に広く適用されるものである。
【図面の簡単な説明】
【００４４】
【図１】図１は、本発明に用いられる視標板の構造の一例を示す正面図である。
【図２】図２(a)は、視標板の駆動装置の構造の一例を示すｚ−ｙ断面図であり、同図(b)はｚ−ｘ断面図であり、同図(c)はｘ−ｙ断面図である。
【図３】図３は、視標板の駆動装置の構造の他の例を示す断面図である。
【図４】図４は、視標の配置位置の一例を説明するための模式図である。
【図５】図５(a)は、本発明に係る眼科検査装置の外観の一例を示す正面図であり、同図(b)は側面図である。
【図６】図６は、本発明に係る眼科検査装置の構造の一例を示すブロック図である。
【図７】図７(a)(b)は、本発明に係る眼科検査装置の一例として夜間視力計の構造を示すブロック図である。
【図８】図８は、従来の視標板における視標の配列の一例を示す模式図である。
【図９】図９は、従来の視標板における視標の配列の他の例を示す模式図である。
【符号の説明】
【００４５】
１０            カバー部材（穴あきカバー）
１０ａ          開口部（円形孔）
１１            視標板（チャート板）
１１ａ          渦巻き状の仮想線
１１ｂ          視標板中心点（チャート板中心点）
２０            回転駆動手段（ステッピングモータ）
２９            運動変換装置
３９            運動変換装置
Ａ１，…         視標
【図１】
2007143960.tif 000014
【図２】
2007143960.tif 000015
【図３】
2007143960.tif 000016
【図４】
2007143960.tif 000017
【図５】
2007143960.tif 000018
【図６】
2007143960.tif 000019
【図７】
2007143960.tif 000020
【図８】
2007143960.tif 000021
【図９】
2007143960.tif 000022